(57)【要約】【課題】  対象部位の外形に合わせ沿わせることができ、光照射によって巻き付け固定帯に担持させた光硬化型樹脂材を硬化させて確実に保形でき、しかも固定状態から分解することなく一時的に固定を解除できて再装着できる機能を備えた光硬化型固定材を提供する【解決手段】  光透過性樹脂材にてなる扁平で小型な無数の保形片３を、その厚さ方向の中間部で連結片４にて相互に連結して屈曲自在で平らな所定寸法の可撓性固定帯２を形成し、この可撓性固定帯２における前記保形片３間に形成された間隙５部分に繊維質の媒体を介して光硬化型樹脂材６を填充し、前記可撓性固定帯２を表裏両面から透光性のある樹脂フイルムによる被覆層７で被覆密閉した構成の固定材とする。【選択図】図１
2016144610.tif 000002
【特許請求の範囲】
【請求項１】
光透過性樹脂材にてなる扁平で小型な無数の保形片を、その厚さ方向の中間部で連結片にて相互に連結して屈曲自在で平らな所定寸法の可撓性固定帯を形成し、この可撓性固定帯における前記保形片間に形成された間隙部に繊維質の媒体を介して光硬化型樹脂材を填充し、前記可撓性固定帯を表裏両面から透光性のある樹脂フイルムによる被覆材で被覆密閉した構成であることを特徴とする光硬化型固定材。
【請求項２】
前記各保形片は、方形にして同一材料の連結片により狭い間隔でもって接続され、かつ前記連結片部分によって接続される縦軸と横軸の両方向に変位できるように構成されている請求項１に記載の光硬化型固定材。
【請求項３】
前記各保形片は正三角形にして、隣接する保形片同士が一方の保形片の頂端部と他方の保形片の底端部とを、厚さ方向の中間部で紐状の連結片で相互に連結され、縦軸と横軸の両方向に変位できる構成とされている請求項１に記載の光硬化型固定材。
【請求項４】
前記可撓性固定帯は、各保形片間の連結片による連結部以外の箇所で表裏に連通する空隙が形成されるようにして、この空隙部を通じて前記媒体に含まれる光硬化型樹脂が表裏に通じるようにされる請求項１に記載の光硬化型固定材。
【発明の詳細な説明】
【技術分野】
【０００１】  本発明は、自在に形状を変化させ得る基材の間に光硬化型樹脂材を介在させて対象となる部位の形状に対応自在に巻き付けることができ、光照射によって含有する光硬化型樹脂材の硬化によって固定できるように構成される光硬化型固定材に関するものである。
【背景技術】
【０００２】  従来、医療の分野で、殊に整形外科分野において骨折や捻挫などの治療を目的として損傷個所を保形するのに固定材（ギプス）が汎用されている。この治療用の固定材としては、焼石膏を水で練ってネルなどの繊維基材に塗り付け保持させてなる固定材を患部に巻き付けて固定するタイプの水硬性固定材、例えばギプス包帯などが汎用されていた。【０００３】  このような水硬性固定材（ギプス包帯）は、塗布剤の関係で重くて強度が不足することや、水に弱いことなど多くの問題点があった。そこで、このような問題点を解決するものとして、水硬化型の樹脂材を織物や編み物でなる基材に含浸させた水硬化型医療用固定材が、水に強く、強度も大きいとして利用されている。このような技術については例えば特許文献１によって知られている。【０００４】  また、前記水硬化型固定材にあっては、使用によって装着部位における生体機能の低下を招くという問題点があることから、巻き付け後において障害を来さないで装着部位の固定が可能である光硬化型の樹脂を採用した医療用固定材が開発され、水硬化型固定材の問題点を解決しようとするものがある。このような技術については、特許文献２，３などによって知られている。【０００５】  しかしながら、前記光硬化型樹脂材を用いた固定材は、使用するにあたり当然のことながら患者の治療部位に巻き付け装着後、固定するために当該固定材に対して光線を照射して液状の樹脂を反応させて硬化する必要がある。そのために、使用する樹脂としては一般に紫外線硬化型樹脂が硬化させるのに用いられている。照射する光は強力であり、ほとんど目に見えないために、直視していると目に障害を与えることになるという問題点がある。したがって、このような危険性を備える紫外線を用いて硬化処理するものでは、特にその危険性を充分認識した立場で取扱わねばならず、医療従事者など施術者に大きな負担を与えるという問題点がある。そのために、可視光領域での光硬化が可能な硬化剤を用いることも一部で採用されている。【０００６】  また、前記先行技術における固定材では、水硬型樹脂を用いた場合、あるいは光硬化型樹脂を用いた場合であっても、患者の治療部位に巻き付け装着して樹脂の固定化を行うと、この固定材は、巻き付け装着状態で固定保持されるので目的は達成できる。しかしながら、処置後において患部の治療などを行うときには固定材を解体しないと取り外すことができない。したがって、患部の治療を行って再び固定材で治療部位を保形する必要がある場合、新たな固定材を準備して改めて巻き付け装着する（固定しなおす）ことになるので、不便であるばかりか、経済的に負担が多くなるという問題点がある。
【先行技術文献】
【特許文献】
【０００７】
【特許文献１】  特開２００２−３２５７８５号公報
【特許文献２】  特開２０１３−１１８９０９号公報
【特許文献３】  特許第５０２４９５１号公報
【発明の開示】
【発明が解決しようとする課題】
【０００８】  本発明では従来技術における問題点を解決して、従来のギプス包帯のように対象部位に対して巻き廻して装着することなく対象部位の外形に沿わせることができ、光エネルギーによって基材に担持させてある光硬化型樹脂材を硬化させて確実に保形でき、しかも固定状態から分解することなく一時的に固定を解除できて再装着できる機能を備えた光硬化型固定材を提供することを目的とするものである。
【課題を解決するための手段】
【０００９】  前記目的を達成するために、本発明による光硬化型固定材は、
光透過性樹脂材にてなる扁平で小型な無数の保形片を、その厚さ方向の中間部で連結片にて相互に連結して屈曲自在で平らな所定寸法の可撓性固定帯を形成し、この可撓性固定帯における前記保形片間に形成された間隙部に繊維質の媒体を介して光硬化型樹脂材を填充し、前記可撓性固定帯を表裏両面から透光性のある樹脂フイルムによる被覆材で被覆密閉した構成であることを特徴とするものである。【００１０】  前記発明における各保形片は、方形にして同一材料の連結片により狭い間隔でもって接続され、かつ前記連結片部分によって接続される縦軸と横軸の両方向に変位できるように構成されているのがよい。また、前記各保形片は正三角形にして、隣接する保形片同士が一方の保形片の頂端部と他方の保形片の底端部とを、厚さ方向の中間部で紐状の連結片で相互に連結され、縦軸と横軸の両方向に変位できる構成とされているのがよい。前記保形片と連結片とは射出成型によって一体的に成形されるようにするのがよい。このようにすることによって可撓性固定帯が形成される。【００１１】  また、前記可撓性固定帯は各保形片間の連結片による連結部以外の箇所で表裏に連通する空隙が形成されるようにして、この空隙部を通じて前記媒体に含まれる光硬化型樹脂が表裏に通じるようにされるのがよい。
【発明の効果】
【００１２】  本発明の光硬化型固定材によれば、無数の保形片を厚さ方向の中間位置にて連結片で相互に連結して可撓性固定帯が形成されているので、その連結部分で表裏の方向に曲げることができ、しかもその保形片は小さい寸法のものを多数連結してあるから、固定帯として方向性を問わず自在に曲げることが可能になる。したがって、例えば外科医療用固定材として使用するに際して患部の部位に沿わせて無理なく抱着することができる。なお、固定手段として機能する光硬化型樹脂は各保形片間に填充されているので、光線の照射によって硬化させることにより、変位した状態で固定でき合理的に抱着部位の外形に沿わせて固定保持する機能を発揮できる。【００１３】  また、本発明の光硬化型固定材は、可撓性固定帯の各保形片間に形成される隙間に繊維質の媒体に含浸させて介在されるので、光硬化型樹脂材の使用量を少なくすることができ、高価な材料を節減することによって低廉で提供することができる。
【図面の簡単な説明】
【００１４】
【図１】図１は本発明の光硬化型固定材の一部を破断して表わす斜視図である。
【図２】図２は固定帯を構成する無数の保形片の配列態様と、保形片を繋ぐ連結片の一部を表す平面図（ａ）とＡ−Ａ視図（ｂ）および保形片間に形成される光硬化型樹脂材の填充態様を示す要部拡大断面図である。
【図３】図３は使用の一態様を表す図で、（ａ）は固定材を抱着する前の状態、（ｂ）は抱着した状態をそれぞれ表す。
【図４】図４は他の実施形態における可撓性固定帯の一部を表す図（ａ）と固定帯を構成する保形片のグループを拡大して表わす平面図（ｂ）および図（ｂ）の側面図（ｃ）である。
【発明を実施するための形態】
【００１５】  次に、本発明の光硬化型固定材についてその一実施形態を表す図面を参照しつつ説明する。
【００１６】  この実施形態の光硬化型固定材１（以下、単に「固定材１」という）は、図１に示されるように、小さい寸法に形成された無数の保持片３を配列されて連結片４により相互に繋がり所定寸法の方形に整えられて、各保持片３間に介在保持される光硬化型樹脂材６を備える可撓性固定帯２（以下、単に「固定帯２」という）と、この固定帯２の表裏に積層されて周囲を封止する被覆層７とで構成されるものである。
【００１７】  前記固定帯２を構成する無数の保持片３は、図２（ａ）（ｂ）（ｃ）で例示するように、光透過性を備えたプラスチックで、ごく小さい外形寸法の方形で厚さ寸法も比較的薄い形状にされ、ほぼ同一寸法のものを前後左右に所定寸法となるよう、一定間隔をとってマトリックスに配列される。そして各保形片３は、その厚さ方向および長さ方向の中間部で、保形片３の厚さおよび幅寸法よりも小さい寸法の連結片４で相互に連結されている。なお、ここで使用される透光性プラスチックとしては、ポリエチレン、ポリプロピレン、ポリカーボネート、ポリアミドなどのいずれかを用いるようにする。そして、この固定帯２は、無数の保形片３と、それらを相互に繋ぐ連結片４とを一連に一体成型することにより得ることができる。
【００１８】  また、前記固定帯２は、無数の保形片３を一定の間隔をおいて連結片４で連結して配列され、その連結片４が保形片３に比べて小さい断面にされているので、各保形片３間に形成される狭い幅の空間（間隙５）によって、自由な方向に変位できるようになっている。しかも、構成する保形片３と連結片４とは一体に成形されているので、自由な方向に変位させても分離することはない。したがって、使用に際して幅方向（左右方向）および長さ方向（縦方向）に自由に曲げることができる。しかも、縦横両方向に加えて部分的にも変位できる。
【００１９】  また、前記固定帯２における各保形片３間の隙間５部分には、繊維糸に光硬化型樹脂材６を含ませて充填し、各保形片４の硬化固定ができるようにされている。こうすることで、保形片３間に形成される隙間５に対して光硬化型樹脂材６を介在させるのに前記繊維糸が液状の光硬化型樹脂材６を脱落させることなく保持できる。なお、使用する光硬化型樹脂材６としては、可視光〜紫外線硬化型樹脂で、例えば光硬化開始剤を含めたメタアクリレート系樹脂が好ましい。
【００２０】  このような構成の固定帯２は、その外面を表裏両面で透光性樹脂フイルムにてなる被覆層７を重ね合わせて周囲を封止し、密閉状態にされる。こうしておくことで、固定帯２に含有させた光硬化型樹脂材６が外部に漏れだすのを防止できる。前記被覆層７を形成する透光性樹脂フイルムとしては。ポリエチレン、ポリプロピレンなどが適用できる。また、前記固定帯２が被覆層７で密閉されているので、光線を照射した際に発生する光硬化型樹脂材６から発生する臭気を外部に漏らさず取扱いを容易にする。
【００２１】  このように構成された固定材１は、その外形寸法が使用対象に応じる寸法の方形にして固定帯２が被覆層７によって密封状態にされているので、使用に供するまでは固定帯２に包含される光硬化型樹脂材６が未反応状態に保たれる。しかし、外部から光を浴びると光硬化型樹脂材が反応して硬化するので、未反応状態を維持できるように、遮光性の樹脂フイルムで形成した包装袋（図示せず）に収めて流通するようにしておく。
【００２２】  使用に際しては、包装袋を開封して固定材１を取出し、図３に表すように、対処する被施術者（患者）の被施術部位Ａに沿わせて両側から患部の周囲を囲うように巻き付けて抱着する。この場合、患者の患部は治療を施した後包帯あるいはガーゼで治療部を覆い、その上側を固定材１で被覆し、さらにその外側から包帯１０などで巻いて固定材１を患部に沿わせるように固定する。こうすることにより、固定材１は被施術部位Ａ（被装着部）に対して両側端部が重ね合わされて巻き付けられる。この際、固定材１はその主体を成す固定帯２が無数の小さな保形片３の集合構造になっていて、その各保形片３間に隙間５があって断面の小さい連結片４によって相互に連結されているので、その隙間５部分でクッション性が発揮され、固定材１を外部から患部の形状に対応するように押し当てながら包帯１０などで巻き付け固定することにより、無理なく被施術部位Ａの周面に沿った状態に変位して抱着できる。
【００２３】  こうして被施術部位Ａの周囲に抱着させた固定材１に対して外部から光照射器（図示せず）によって光線を照射し、固定帯２に包含される光硬化型樹脂材６を光エネルギーによって反応させて次第に硬化させる。この際、照射する光源としては、例えば３５０〜４１０ｎｍの吸収波長を発するＬＥＤライト（光照射器）で照射し、光硬化型樹脂材６を硬化させる。もちろん、前記固定帯２における各保持片３間に繊維糸を介して挿入付着させている光硬化型樹脂材６は前記光照射によって迅速に反応する成分に調整されたものを用いることは言うまでもない。そして、前記光照射器による照射光源としては、一部に可視光を照射する光源ランプを用いるようにすることで、光照射時に照射光が視認できるので、施術者が正しく処理することができ、不測の事故を防止できる。
【００２４】  そして、固定帯２が被施術部位Ａに沿って巻き付けられた状態で、固定帯２の各保形片３間（間隙５）に挿入された光硬化型樹脂材６が硬化することにより、それぞれの保形片３が変位した状態を保たれ、固定帯２全体が被施術部位Ａに沿って固定されることになる。したがって、被施術部位Ａの周りは固定材１で確実に固定保持される。
【００２５】  この実施形態の固定材１は、例えば、被施術者が治療のために患部の状態を確認する必要が生じたときに、前述のように固定保持するため固定材１の外部に巻き付けてある包帯１０を取り外せば、その包帯１０による巻き付け力が除かれるので、強制的な外力の解除によって緩められる。したがって、重ね合わせた両端部を押し開くようにすると、固定材１が抱着状態から解放されて取り外すことができる。
【００２６】  このように、固定材１は一旦被施術者の患部を覆って固定状態で保形していた状態から取り外し可能であるから、患部の治療を行うことができ、治療あるいは患部の改善状態を確認した後は、取り外された固定材１を再び抱着して保形されていた状態に戻し、包帯１０等によって巻き付け固定すれば、当初の状態に戻すことが可能である。要するに、この実施形態の固定材１は、光硬化型樹脂材６が硬化した状態であっても、無数の小さな保形片３の集合にて各保形片３間に介在する隙間５部分で繋ぐ連結片４が変位を自在にするとともにクッション機能を発揮し、適度な弾性力を所有しているので、固定後においても被施術部位Ａに対する抱着態勢から解放態勢に変化させることができるとともに、元の態勢に戻して固定機能を発揮することができるのである。
【００２７】  次に，図４（ａ）に示されるのは他の実施形態の固定帯の一部を表すものであり、この実施形態のものについて説明する。
【００２８】  この実施形態では、基本的に前述の実施形態のものと同様の機能を所有するものであり、したがって、前述のものと同一もしくは同様の構成については、先の実施形態と同一の符号を付して詳細な説明について省略する。
【００２９】  固定材１は、無数の保形片３ａを配列して連結片４ａで一体的に形成した固定帯２と、この固定帯２において保形片３ａ間に形成される隙間５部分に繊維媒体を介して光硬化型樹脂材６を介在させ、固定帯２の表裏両面を覆い周囲を封止する被覆層７（図示省略）を備えている点で、前述の固定材１と同じ構成である。しかし、固定帯２を形成する保形片３ａと連結片４ａとの組み合わせ構造において相違するものである。
【００３０】  前記保形片３ａは、図４（ｂ）（ｃ）で示すように正三角形で所定の厚さの部片であり、狭い隙間５を介在させて各頂点が集合するようにしてマトリックス状に配列されており、一方の保持片３ａの各頂端部から隣接する保持片３ａの対角部の位置（頂端）に細幅の連結片４ａが厚さ方向の中間で連結されている。したがって、保形片３ａの周囲三辺にいずれも周方向に隣接する保形片３ａ同士を接続する構造になっている。なお、各保持片３ａと連結片４ａとは一体成型によって形成される。そして、保形片３ａ間に形成される間隙５部分には、前記実施形態と同様に繊維質の材料（例えば繊維糸）を介在させて、この繊維質材料に光硬化型樹脂材６を含有保持させてある。
【００３１】  このように形成される固定帯２は、前述のように無数の正三角形にてなる保形片３ａが、その三辺で細幅の連結片４ａによって連結されて配列しているので、連結片４ａで三方に相互に連なった状態で平衡に保たれているから、面方向に外力を受けるとその外力と同方向に移動可能となる。もちろん、一つの保形片３ａに外力が加えられると連結片４ａで連なる隣接位置の各保形片３ａもその外力による移動に牽かれて同方向に移動変位する。したがって、前記要領で使用時に巻き付けられるときに外周部から被処理部位Ａの周囲に固定材１が沿うよう押し付けられると、部分的な凹凸に対して容易に変位し、結果的に非処理部位Ａの周面に沿って浮き上がることなく抱着することができるのである。
【００３２】  言い換えると、この実施形態の固定材１は、処置する被処理部位Ａの形状になじんで周囲に巻き付けることができ、固定材１としての機能を充分に発揮することができるのである。そして、光照射によって抱着した固定材１の固定帯２に付着させた光硬化型樹脂材６を硬化させることにより、各保形片３ａが拘束されて抱着状態を維持させる（固定させる）。
【００３３】  この実施形態の固定材１においても、前述の実施形態の固定材１と同様に、固定帯２を形成する各保形片３ａが間隙５部分を連結片４ａで繋がれて一体的に連鎖されているから、その隙間５部分に固定化された光硬化型樹脂材６を介在されていても、適度な弾性力が得られることから、被施術者（患者）の治療経過観察や再治療に際して分解することなく固定を解いて一旦取り外すことが可能であり、処置後において再び元の状態にもどして固定することができる。
【００３４】  前記実施形態において、固定帯２において配列された無数の保形片３（３ａ）間に形成される間隙５にあっては、保形片３（３ａ）を繋ぐ連結片４（４ａ）が位置しない部分で表裏両面に開通する空間を形成することで、その間隙５部分に填充する光硬化型樹脂材６が両面に連通して空隙を作り出すことなく填充させることができるので、光照射によって硬化する際むらなく処理されて目的を達成することができると同時に、固定帯２が部分的に凹凸変位する際も無理なく変位することができる。
【００３５】  また、本発明の固定帯は、外科医療用や介護に伴う治療用としての用途のみならず、例えば損傷した樹木の幹や枝などの復元用として、あるいは生体以外の物品における修理などで保形必要個所を抱持して回復あるいは一定期間の保持状態を図るような用途にも採用することができる。このような場合は、人体等に使用する場合とほぼ同様の要領で使用することができる。
【符号の説明】
【００３６】１        固定材
２        可撓性固定帯
３，３ａ  保形片
４，４ａ  連結片
５        間隙
６        光硬化型樹脂材
７        被覆層
【図１】
2016144610.tif 000003
【図２】
2016144610.tif 000004
【図３】
2016144610.tif 000005
【図４】
2016144610.tif 000006